(57)【要約】【課題】遊技球を発生源とするノイズによる誤動作を抑制し、より安定的な遊技動作を実現できる遊技機を提供する。【解決手段】ＣＰＵ６２を含む電子部品が搭載された主制御基板３１ａと、遊技機外から供給された遊技球を貯留皿に案内する遊技球流下通路４４とを備えた遊技機で、主制御基板３１ａ上に設けられたＣＰＵ６２とは別の発熱性部品であるレギュレータ６５に導電性を有する放熱フィン６６を取り付けると共にその放熱フィン６６をグランド接続し、遊技球流下通路４４と放熱フィン６６との距離Ｌ１と、遊技球流下通路４４とＣＰＵ６２との距離Ｌ２との関係がＬ１＜Ｌ２となるように配置したものである。【選択図】図４
2011182975.tif 000002
【特許請求の範囲】
【請求項１】
ＣＰＵ（６２）を含む電子部品が搭載された制御基板（３１ａ）と、遊技機外から供給された遊技球を貯留皿（１３）に案内する遊技球流下通路（４４）とを備えた遊技機において、前記制御基板（３１ａ）上に設けられた前記ＣＰＵ（６２）とは別の発熱性部品（６５）に導電性を有する放熱手段（６６）を取り付けると共にその放熱手段（６６）をグランド接続し、前記遊技球流下通路（４４）と前記放熱手段（６６）との距離Ｌ１と、前記遊技球流下通路（４４）と前記ＣＰＵ（６２）との距離Ｌ２との関係がＬ１＜Ｌ２となるように配置したことを特徴とする遊技機。
【請求項２】
前記ＣＰＵ（６２）から前記遊技球流下通路（４４）に至る最短経路上に前記放熱手段（６６）を配置したことを特徴とする請求項１に記載の遊技機。
【請求項３】
前記制御基板（３１ａ）上に、他の制御基板に対して制御コマンドを送信するためのコマンド線用コネクタ（６１ａ）が設けられ、前記遊技球流下通路（４４）と前記コマンド線用コネクタ（６１ａ）との距離Ｌ３と前記距離Ｌ１との関係がＬ１＜Ｌ３となるように配置したことを特徴とする請求項１又は２に記載の遊技機。
【請求項４】
前記放熱手段（６６）を、当該放熱手段（６６）から前記遊技球流下通路（４４）に至る最短経路に垂直な平面に対する投影面積が最大となる向きに配置したことを特徴とする請求項１〜３の何れかに記載の遊技機。
【請求項５】
前記発熱性部品（６５）がレギュレータであることを特徴とする請求項１〜４の何れかに記載の遊技機。
【請求項６】
前記放熱手段（６６）が、導電性材料で形成された放熱フィンであることを特徴とする請求項１〜５の何れかに記載の遊技機。
【発明の詳細な説明】
【技術分野】
【０００１】
本発明は、ＣＰＵを含む電子部品が搭載された制御基板と、遊技機外から供給された遊技球を貯留皿に案内する遊技球流下通路とを備えた遊技機に関するものである。
【背景技術】
【０００２】
パチンコ機等の遊技機では、主制御基板をはじめとした複数の制御基板が搭載され、コマンドを介したそれら制御基板の連携によって遊技制御、演出制御、払出制御等の各種制御が行われている。これら制御基板上には、電磁波ノイズの影響を受けやすいＣＰＵ等の電子部品が多数実装されているため、誤動作のない安定的な遊技動作を保証するためには電磁波ノイズの影響を如何に排除するかが非常に重要である。
【０００３】
この電磁波ノイズの発生源は種々考えられるが、弾球遊技機等、遊技媒体として遊技球を使用する遊技機に特有でしかも最も影響が大きいノイズ発生源が遊技球である。即ち、遊技球は遊技島から各遊技機に供給され、遊技機内で遊技に供された後、再び遊技島に回収されるようになっているが、その移動過程で遊技球同士の摩擦、遊技球と通路壁との摩擦等によって静電気が発生する。そして、帯電した遊技球からの放電によって電磁波ノイズが発生し、ＣＰＵ等の電子部品に悪影響を与えてしまう。
【０００４】
このような遊技球を発生源とするノイズによる悪影響を排除すべく、例えば従来の弾球遊技機では、遊技球が通過する通路上の要部にアース板を配置し、これに遊技球を接触させて除電するようにしたものが知られている（例えば特許文献１）。
【先行技術文献】
【特許文献】
【０００５】
【特許文献１】特開平１０−２３４９６５号公報
【発明の概要】
【発明が解決しようとする課題】
【０００６】
この特許文献１に示す弾球遊技機で採用されているノイズ対策は、主要なノイズ発生源である遊技球に対するものであるが、種々の制約が存在するため、この対策によってノイズの発生を完全に防止することは極めて困難である。従って、より安定的な遊技動作を実現するためには、このようなノイズの発生自体を抑制する対策以外に、ノイズが発生してもそれによる電子部品への悪影響を排除できるような対策が望まれる。
【０００７】
本発明は、上記事情に鑑みてなされたものであり、遊技球を発生源とするノイズによる誤動作を抑制し、より安定的な遊技動作を実現できる遊技機を提供することを目的とする。
【課題を解決するための手段】
【０００８】
本発明は、ＣＰＵ６２を含む電子部品が搭載された制御基板３１ａと、遊技機外から供給された遊技球を貯留皿１３に案内する遊技球流下通路４４とを備えた遊技機において、前記制御基板３１ａ上に設けられた前記ＣＰＵ６２とは別の発熱性部品６５に導電性を有する放熱手段６６を取り付けると共にその放熱手段６６をグランド接続し、前記遊技球流下通路４４と前記放熱手段６６との距離Ｌ１と、前記遊技球流下通路４４と前記ＣＰＵ６２との距離Ｌ２との関係がＬ１＜Ｌ２となるように配置したものである。
【発明の効果】
【０００９】
本発明によれば、グランド接続された放熱手段６６のシールド効果によって、遊技球流下通路４４内で発生するノイズがＣＰＵ６２に与える悪影響を抑制することができ、より安定的な遊技動作を実現できる。
【図面の簡単な説明】
【００１０】
【図１】本発明の第１の実施形態におけるパチンコ機の全体正面図である。
【図２】同じくガラス扉及び下部開閉扉を外した状態の正面図である。
【図３】同じく全体背面図である。
【図４】同じく主制御基板と遊技球流下通路との関係を示す説明図である。
【図５】同じくレギュレータと放熱フィンの斜視図である。
【図６】本発明の第２の実施形態における主制御基板と遊技球流下通路との関係を示す説明図である。
【図７】本発明の第３の実施形態における主制御基板と遊技球流下通路との関係を示す説明図である。
【発明を実施するための形態】
【００１１】
以下、本発明の実施形態を図面に基づいて詳述する。図１〜図５は本発明をパチンコ機に採用した第１の実施形態を例示している。図１〜図３において、遊技機本体１は、矩形状の外枠２と、この外枠２の左右一側、例えば左側のヒンジ３を介して縦軸心廻りに開閉自在及び着脱自在に枢着された内枠４とを備えている。
【００１２】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。
【００１３】
ガラス扉９には、遊技盤６側の遊技領域６ａに対応するガラス窓１２が設けられ、また下部開閉扉１０には、払い出された遊技球を貯留すると共にその遊技球を発射手段８側に案内する上皿（貯留皿）１３、この上皿１３が満杯となったときにその余剰球を受けて貯留する下皿１４、発射手段８を作動させるための発射ハンドル１５等が設けられている。
【００１４】
上部装着部５には、遊技盤６を装着するための遊技盤装着枠１６が設けられており、遊技盤６はこの遊技盤装着枠１６に対して例えば前側から装着され、１又は複数の固定具１６ａにより着脱自在に固定されている。遊技盤６の前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、その略中央に画像表示手段を備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１５】
また遊技盤６の裏面側には、図３に示すように、センターケース２３等の遊技部品を後側から覆う裏ケース３０ａと、その裏ケース３０ａの下側に配置される集球ケース３０ｂとが装着され、主制御基板３１ａが格納された主基板ケース３１が例えばその集球ケース３０ｂの背面側に、演出制御基板３２ａが格納された演出基板ケース３２、液晶制御基板３３ａが格納された液晶基板ケース３３等が裏ケース３０ａの背面側に、夫々着脱自在に装着されており、それらが内枠４に設けられた開口部（図示省略）に前側から嵌合している。
【００１６】
下部装着部７には、図２に示すようにその前側の例えば左右方向略中央に発射手段８が配置され、下部開閉扉１０側の上皿１３からこの発射手段８に発射用の遊技球が供給されるようになっている。発射手段８は、板金製の支持板３４と、この支持板３４の前面に装着された発射レール３５と、支持板３４の前面で前後方向の駆動軸廻りに揺動自在に支持された打撃槌３６と、支持板３４の裏側に装着され且つ打撃槌３６を打撃方向に駆動するロータリソレノイド等の発射駆動手段３７等を備え、発射ハンドル１５が操作されたときに発射駆動手段３７により打撃槌３６を打撃方向（時計廻り）に間欠的に駆動することにより、上皿１３から発射レール３５上に供給された遊技球を発射レール３５に沿って打撃して遊技盤６側に発射させるようになっている。
【００１７】
また、発射手段８の左側には、後述する払い出し装置４７から払い出された遊技球を下部開閉扉１０側の上皿１３に排出すると共に上皿１３が満杯となったときにその余剰球を下皿１４側に案内する分岐通路ユニット３８等が、右側には下部スピーカ３９が夫々配置されている。
【００１８】
内枠４の後側には、図３に示すように、遊技盤６の裏側の裏ケース３０ａ及び集球ケース３０ｂの背面側に装着された主基板ケース３１、演出基板ケース３２、液晶基板ケース３３等の略全体を後側から覆う裏カバー４０が開閉自在に装着され、またその下側で下部装着部７の背面側には基板装着台４１が着脱自在に装着されており、この基板装着台４１の背面側に、例えば電源基板４２ａが格納された電源基板ケース４２と、払い出し制御基板４３ａが格納された払い出し基板ケース４３とが着脱自在に装着されている。
【００１９】
また、内枠４の後側には、遊技機外から供給された遊技球を上皿１３に案内する遊技球流下通路４４が、遊技盤６の外周、即ち裏カバー４０の外側に沿って配置されている。この遊技球流下通路４４は、遊技球タンク４５、払い出し供給通路４６、払い出し装置４７内の払い出し通路４８、払い出し排出通路４９等により構成されている。
【００２０】
遊技球タンク４５は、遊技島側の遊技球供給部５０から供給される遊技球を受けるもので、裏カバー４０の上側に沿って横長状に配置され、例えばその左端側、即ちヒンジ３側端部に払い出し供給通路４６の上端側が接続されており、遊技球をその払い出し供給通路４６側に流下させるように例えば左下がりの緩やかな傾斜状に形成されている。払い出し供給通路４６は、遊技球タンク４５内の遊技球を払い出し装置４７に供給するもので、裏カバー４０の一側、例えばヒンジ３側に沿って上下方向に配置され、その下端側が払い出し装置４７の払い出し通路４８に接続されている。
【００２１】
払い出し装置４７は、払い出し指令に応じて所定個数の遊技球を払い出すためのもので、裏カバー４０の一側、例えばヒンジ３側に配置されている。この払い出し装置４７は、図４に示すように、上流側の払い出し供給通路４６と下流側の払い出し排出通路４９とを接続する払い出し通路４８と、この払い出し通路４８上に回転可能に設けられた繰り出し部材５１と、この繰り出し部材５１を回転駆動するステッピングモータ等よりなる払い出し駆動手段５２と、払い出し通路４８上で且つ繰り出し部材５１の下流側に配置された遊技球検出スイッチ５３とを備え、遊技球が大入賞手段２６等の入賞口に入賞したとき、及び図外の自動球貸し機から球貸し指令があったときに、払い出し制御基板４３ａからの制御によって払い出し駆動手段５２が作動して繰り出し部材５１が所定回数回転し、これによって所定個数の遊技球が払い出し供給通路４６側から払い出し排出通路４９側に払い出されるようになっている。
【００２２】
払い出し排出通路４９は、払い出し装置４７によって払い出された遊技球を上皿１３に案内するもので、裏カバー４０の一側、例えばヒンジ３側に沿って上下方向に配置され、その下端側が例えば前向きに屈曲されて分岐通路ユニット３８に後側から接続されている。以上のように、遊技球流下通路４４は、遊技盤６の外周に沿ってその上側からヒンジ３側に配置されているため、遊技盤６の裏側に装着されている主制御基板３１ａ、演出制御基板３２ａ、液晶制御基板３３ａ、或いは遊技盤６の下側に配置されている払い出し制御基板４３ａとの距離が近くなっている。
【００２３】
特に主制御基板３１ａは、図３に示すように遊技盤６の裏側で左寄りに配置されているため、遊技球流下通路４４との距離が非常に近く、主制御基板３１ａの左縁部に沿ってその近傍に遊技球流下通路４４が配置されている。しかも、遊技球流下通路４４のうち、主制御基板３１ａの縁部に沿った部分は、遊技球の動きに変化が大きくノイズが発生しやすいと考えられる払い出し装置４７からその下流側の払い出し排出通路４９にわたる部分であるため、主制御基板３１ａはその遊技球流下通路４４内で発生するノイズの影響を非常に受けやすい状況にある。
【００２４】
この主制御基板３１ａは、図４に示すように例えば横長矩形状に形成されており、その外縁に沿って、演出制御基板３２ａ等の他の制御基板に対して制御コマンドを送信するためのコマンド線用コネクタ６１ａを含む複数のコネクタ６１が配置されると共に、ＣＰＵ６２、ＲＯＭ６３等の他、発熱性部品の一例としてのレギュレータ６５等の各種電子部品が実装されている。
【００２５】
レギュレータ６５には、冷却のための放熱フィン（放熱手段）６６が例えばねじ止め等により着脱自在に固定されている。この放熱フィン６６は、図５に示すように、例えば所定間隔で平行に配置されたフィン部６６ａと、このフィン部６６ａを保持するフレーム部６６ｂとを備え、導電性を有する金属、例えばアルミニウム等により一体に形成されている。また、この放熱フィン６６は図示しないグランド線に接続されている。
【００２６】
主制御基板３１ａ上に装着された各種電子部品のうち、ＣＰＵ６２、レギュレータ６５及びコマンド線用コネクタ６１ａの配置関係は次のようになっている。即ち、図４に示すように、レギュレータ６５に装着した放熱フィン６６と遊技球流下通路４４との距離（最短距離）をＬ１、ＣＰＵ６２と遊技球流下通路４４との距離（最短距離）をＬ２、コマンド線用コネクタ６１ａと遊技球流下通路４４との距離（最短距離）をＬ３とすると、Ｌ１＜Ｌ２、Ｌ１＜Ｌ３の関係が夫々成り立つようになっている。本実施形態では、更にＬ３＜Ｌ２となっており、合わせてＬ１＜Ｌ３＜Ｌ２の関係が成り立つように配置されている。
【００２７】
このように、主制御基板３１ａ上のＣＰＵ６２、レギュレータ６５及びコマンド線用コネクタ６１ａを、レギュレータ６５に装着した放熱フィン６６から遊技球流下通路４４までの距離Ｌ１よりもＣＰＵ６２から遊技球流下通路４４までの距離Ｌ２の方が大きく、且つ放熱フィン６６から遊技球流下通路４４までの距離Ｌ１よりもコマンド線用コネクタ６１ａから遊技球流下通路４４までの距離Ｌ３の方が大きくなるように配置しているため、グランド接続された放熱フィン６６のシールド効果によって、遊技球流下通路４４内で発生するノイズがＣＰＵ６２やコマンド線用コネクタ６１ａに与える悪影響を抑制することができ、ＣＰＵ６２の誤作動や制御コマンドの送受信エラー等を防止してより安定的な遊技動作を実現できる。
【００２８】
図６は本発明の第２の実施形態を例示し、第１の実施形態を一部変更して、主制御基板３１ａ上のＣＰＵ６２から遊技球流下通路４４に至る最短経路上に放熱フィン６６を配置した例を示している。このような構成を採用することにより、遊技球流下通路４４で発生し、ＣＰＵ６２に影響を与えるノイズに対する放熱フィン６６によるシールド効果をより高めることが可能である。
【００２９】
図７は本発明の第３の実施形態を例示し、第１の実施形態を一部変更して、放熱フィン６６を、放熱フィン６６から遊技球流下通路４４に至る最短経路Ｒに垂直な平面Ｐに対する投影面積が最大となる向きに配置した例を示している。このような構成を採用することにより、遊技球流下通路４４で発生し、ＣＰＵ６２に影響を与えるノイズに対する放熱フィン６６によるシールド効果をより高めることが可能である。また更に、第２の実施形態と同様、主制御基板３１ａ上のＣＰＵ６２から遊技球流下通路４４に至る最短経路上に放熱フィン６６を配置することがより望ましい。
【００３０】
以上、本発明の実施形態について詳述したが、本発明はこれらの実施形態に限定されるものではなく、本発明の趣旨を逸脱しない範囲で種々の変更が可能である。例えば、放熱手段６６はレギュレータ以外の発熱性電子部品に装着してもよい。放熱手段６６は、導電性部材を備えたものであれば冷却ファン等であってもよい。
【００３１】
また、実施形態では主制御基板３１ａについて例示したが、ＣＰＵとその他の発熱性部品を搭載した制御基板であれば、主制御基板３１ａ以外の演出制御基板３２ａ、払い出し制御基板４３ａ等においても同様に適用可能である。
【００３２】
更に、実施形態では本発明をパチンコ機に適用した例を示したが、アレンジボール機等のその他の弾球遊技機はもちろん、メダルではなく遊技球を遊技媒体とするスロットマシン等、遊技媒体として遊技球を用いる遊技機全般において同様に実施可能であることは言うまでもない。
【符号の説明】
【００３３】
１３    上皿（貯留皿）
３１ａ  主制御基板（制御基板）
４４    遊技球流下通路
６１ａ  コマンド線用コネクタ
６２    ＣＰＵ
６５    レギュレータ（発熱性部品）
６６    放熱フィン（放熱手段）
Ｌ１    遊技球流下通路と放熱フィンとの距離
Ｌ２    遊技球流下通路とＣＰＵとの距離
Ｌ３    遊技球流下通路とコマンド線用コネクタとの距離
【図１】
2011182975.tif 000003
【図２】
2011182975.tif 000004
【図３】
2011182975.tif 000005
【図４】
2011182975.tif 000006
【図５】
2011182975.tif 000007
【図６】
2011182975.tif 000008
【図７】
2011182975.tif 000009